(57)【要約】【課題】電子値札装置の価格改定に連動して、電子ＰＯＰ装置に適切なＰＯＰ表示を行うことを課題とする。【解決手段】販売価格１１を含む価格情報を表示する電子値札装置２と、これに接続され、販売価格１１に付加した付加情報を表示する電子ＰＯＰ装置３と、電子値札装置２および電子ＰＯＰ装置３の表示制御を行うホスト装置４と、を有する商品情報表示システム１であって、ホスト装置４は、電子値札装置２に表示制御データを送信して表示制御を行い、電子値札装置２は、受信した表示制御データを解析し、解析結果に基づいて、価格情報を表示すると共に、電子ＰＯＰ装置３に付加情報を表示させるための指示情報が含まれているかどうかを判別し、指示情報が含まれていると判定された時、電子ＰＯＰ装置３に当該指示情報を転送し、電子ＰＯＰ装置３は、取得した指示情報に基づいて、付加情報を表示することを特徴とする。【選択図】図８
2008104615.tif 000002
【特許請求の範囲】
【請求項１】
販売商品の少なくとも販売価格を含む価格情報を表示する電子値札装置と、前記電子値札装置に電気的に接続され、前記販売商品の前記販売価格に付加して表示すべき付加情報を表示する電子ＰＯＰ装置と、前記電子値札装置および前記電子ＰＯＰ装置の表示制御を行うホスト装置と、を有する商品情報表示システムであって、
前記ホスト装置は、
前記電子値札装置に対し、前記表示制御を行うための表示制御データを送信する表示制御データ送信手段を備え、
前記電子値札装置は、
前記価格情報を表示する価格表示部と、
前記ホスト装置から、前記表示制御データを受信する表示制御データ受信手段と、
前記表示制御データを解析する解析手段と、
前記表示制御データの解析結果に基づいて、前記価格情報を前記価格表示部に表示させる価格情報表示制御手段と、
前記表示制御データの解析結果に、前記電子ＰＯＰ装置に前記付加情報を表示させるための指示情報が含まれているかどうかを判別する指示情報判別手段と、
前記指示情報判別手段により、前記指示情報が含まれていると判定された時、前記電子ＰＯＰ装置に当該指示情報を転送する情報転送手段と、を備え、
前記電子ＰＯＰ装置は、
前記付加情報を表示する付加情報表示部と、
前記電子値札装置から、前記指示情報を取得する情報取得手段と、
取得した前記指示情報に基づいて、前記付加情報を前記付加情報表示部に表示させる付加情報表示制御手段と、を備えていることを特徴とする商品情報表示システム。
【請求項２】
前記電子ＰＯＰ装置は、
前記付加情報として表示するための複数のイメージデータファイルを記憶するイメージデータ記憶部をさらに備え、
前記指示情報は、複数の前記イメージデータファイルのうち少なくとも１のイメージデータファイルを指定するための情報を含むことを特徴とする請求項１に記載の商品情報表示システム。
【請求項３】
前記電子ＰＯＰ装置は、
前記付加情報として表示するための複数の動画データファイルを記憶する動画データ記憶部をさらに備え、
前記指示情報は、複数の前記動画データファイルのうち少なくとも１の動画データファイルを指定するための情報を含むことを特徴とする請求項２に記載の商品情報表示システム。
【請求項４】
前記ホスト装置は、前記電子ＰＯＰ装置に記憶されている前記イメージデータファイルおよび／または前記動画データファイルを指定するＰＯＰコードを、当該電子ＰＯＰ装置に接続されている前記電子値札装置と対応させて記憶する電子値札装置情報記憶部を有し、
前記電子値札装置に送信される前記表示制御データは、前記ＰＯＰコードを含むことを特徴とする請求項３に記載の商品情報表示システム。
【請求項５】
販売商品の少なくとも販売価格を含む価格情報を表示する価格表示部を有する電子値札装置と、前記電子値札装置に電気的に接続され、前記販売商品の前記販売価格に付加して表示すべき付加情報を表示する付加情報表示部を有する電子ＰＯＰ装置と、前記電子値札装置および前記電子ＰＯＰ装置の表示制御を行うホスト装置と、を有する商品情報表示システムの制御方法であって、
前記ホスト装置が、前記電子値札装置に対し、前記表示制御を行うための表示制御データを送信するステップと、
前記電子値札装置が、受信した前記表示制御データを解析し、当該解析結果に基づいて、前記価格情報を前記価格表示部に表示するステップと、
前記電子値札装置が、前記表示制御データの解析結果に、前記電子ＰＯＰ装置に付加情報を表示させるための指示情報が含まれているかどうかを判別し、前記指示情報が含まれていると判定された時、前記電子ＰＯＰ装置に当該指示情報を転送するステップと、
前記電子ＰＯＰ装置が、取得した前記指示情報に基づいて、前記付加情報を前記付加情報表示部に表示するステップと、を実行することを特徴とする商品情報表示システムの制御方法。
【請求項６】
コンピュータに、請求項５に記載の商品情報表示システムの制御方法における各ステップを実行させるためのプログラム。
【発明の詳細な説明】
【技術分野】
【０００１】
本発明は、販売商品の販売価格を含む価格情報を表示する商品情報表示システム、商品情報表示システムの制御方法およびプログラムに関するものである。
【背景技術】
【０００２】
従来、この種の商品情報表示システムに用いられる電子値札装置として、商品陳列ケースに陳列した商品に対応して、ディスプレイに商品の価格情報を表示し、ディスプレイの周囲に広告が印刷されたＰＯＰラベルを貼付したものが知られている。この商品情報表示システムは、広告を変更する場合、ラベルプリンタにより新たにＰＯＰラベルを印刷し、電子値札装置のＰＯＰラベルを貼りかえることにより対応している（特許文献１参照）。
【特許文献１】特開２００１−３４６６６３号公報
【発明の開示】
【発明が解決しようとする課題】
【０００３】
しかし、上記の商品情報表示システムは、電子値札装置の広告を替える場合には、ラベルプリンタによりＰＯＰラベルを印刷し、手作業によりＰＯＰラベルを貼り替える必要があり、煩わしい作業となっていた。そこで、このような問題を解決するため、広告情報（画像データ）を表示するディスプレイを備えた電子ＰＯＰ装置を、電子値札装置に取り付け、ホスト装置からの指示によりディスプレイの広告情報を変更する方法が考えられる。しかし、上記の方法では、電子値札装置に表示された販売価格が変更になった場合には、販売価格との整合性をとるために、複数の電子ＰＯＰ装置を統括的に制御するホスト装置から広告情報の変更指示を出して、変更後の販売価格に対応させる必要があった。特に、広告情報と価格情報とが一致していない場合には、顧客に誤解を招き、トラブルの原因となる虞があった。また、変更後の広告情報と価格情報とが一致しているか否かは、店員による確認しか方法がなく、早期に異常を発見して対処することが困難であった。
【０００４】
そこで、電子値札装置の価格改定に連動して、電子ＰＯＰ装置に適切なＰＯＰ表示を行うことができる商品情報表示システム、商品情報表示システムの制御方法およびプログラムを提供することをその課題としている。
【課題を解決するための手段】
【０００５】
本発明の商品情報表示システムは、販売商品の少なくとも販売価格を含む価格情報を表示する電子値札装置と、電子値札装置に電気的に接続され、販売商品の販売価格に付加して表示すべき付加情報を表示する電子ＰＯＰ装置と、電子値札装置および電子ＰＯＰ装置の表示制御を行うホスト装置と、を有する商品情報表示システムであって、ホスト装置は、電子値札装置に対し、表示制御を行うための表示制御データを送信する表示制御データ送信手段を備え、電子値札装置は、価格情報を表示する価格表示部と、ホスト装置から、表示制御データを受信する表示制御データ受信手段と、表示制御データを解析する解析手段と、表示制御データの解析結果に基づいて、価格情報を価格表示部に表示させる価格情報表示制御手段と、表示制御データの解析結果に、電子ＰＯＰ装置に付加情報を表示させるための指示情報が含まれているかどうかを判別する指示情報判別手段と、指示情報判別手段により、指示情報が含まれていると判定された時、電子ＰＯＰ装置に当該指示情報を転送する情報転送手段と、を備え、電子ＰＯＰ装置は、付加情報を表示する付加情報表示部と、電子値札装置から、指示情報を取得する情報取得手段と、取得した指示情報に基づいて、付加情報を付加情報表示部に表示させる付加情報表示制御手段と、を備えていることを特徴とする。
【０００６】
本発明の商品情報表示システムの制御方法は、販売商品の少なくとも販売価格を含む価格情報を表示する価格表示部を有する電子値札装置と、電子値札装置に電気的に接続され、販売商品の販売価格に付加して表示すべき付加情報を表示する付加情報表示部を有する電子ＰＯＰ装置と、電子値札装置および電子ＰＯＰ装置の表示制御を行うホスト装置と、を有する商品情報表示システムの制御方法であって、ホスト装置が、電子値札装置に対し、表示制御を行うための表示制御データを送信するステップと、電子値札装置が、受信した表示制御データを解析し、当該解析結果に基づいて、価格情報を価格表示部に表示するステップと、電子値札装置が、表示制御データの解析結果に、電子ＰＯＰ装置に付加情報を表示させるための指示情報が含まれているかどうかを判別し、指示情報が含まれていると判定された時、電子ＰＯＰ装置に当該指示情報を転送するステップと、電子ＰＯＰ装置が、取得した指示情報に基づいて、付加情報を付加情報表示部に表示するステップと、を実行することを特徴とする。
【０００７】
これらの構成によれば、電子値札装置は、電子値札装置による表示制御データの解析結果に基づいて価格情報を表示し、電子ＰＯＰ装置は、電子値札装置からの表示制御データの解析結果に基づいて転送された指示情報により付加情報（例えば、販売商品の広告情報）を表示する。このように、電子値札装置による表示制御データの解析結果に基づいて電子値札装置の価格情報と電子ＰＯＰ装置の付加情報とが連動して表示されるので、価格情報と付加情報とが不一致となることがない。つまり、販売価格の変更に合わせて適切な付加情報が表示されるため、販売価格と付加情報の内容の整合性がとれないことで顧客に誤解を招く虞がない。また、電子値札装置と電子ＰＯＰ装置に対し、個別に表示制御データを送信する必要がないため、ホスト装置の制御負荷を軽減できる。
【０００８】
この場合、電子ＰＯＰ装置は、付加情報として表示するための複数のイメージデータファイルを記憶するイメージデータ記憶部をさらに備え、指示情報は、複数のイメージデータファイルのうち少なくとも１のイメージデータファイルを指定するための情報を含むことが、好ましい。
【０００９】
この場合、電子ＰＯＰ装置は、付加情報として表示するための複数の動画データファイルを記憶する動画データ記憶部をさらに備え、指示情報は、複数の動画データファイルのうち少なくとも１の動画データファイルを指定するための情報を含むことが、好ましい。
【００１０】
これらの構成によれば、電子ＰＯＰ装置は、取得した指示情報に基づいて、内部に記憶したイメージデータファイルや動画データファイルを指定して表示するため、容量の大きなイメージデータファイル（画像データ）や動画データファイルを外部から取得しなくとも、多彩なＰＯＰ表示が可能となる。このため、回線帯域等の設備コストを削減することができ、商品情報表示システムを簡易な構成で構築することができる。
【００１１】
この場合、ホスト装置は、電子ＰＯＰ装置に記憶されているイメージデータファイルおよび／または動画データファイルを指定するＰＯＰコードを、当該電子ＰＯＰ装置に接続されている電子値札装置と対応させて記憶する電子値札装置情報記憶部を有し、電子値札装置に送信される表示制御データは、ＰＯＰコードを含むことが、好ましい。
【００１２】
この構成によれば、ホスト装置で、イメージデータファイルおよび／または動画データファイルを記憶している電子ＰＯＰ装置およびこれに接続された電子値札装置を管理することができる。また、個々の電子値札装置を指定することなく、イメージデータファイルおよび／または動画データファイルを共通するＰＯＰコードに基づいて表示制御することができる。
【００１３】
本発明のプログラムは、コンピュータに、上記の商品情報表示システムの制御方法における各ステップを実行させることを特徴とする。
【００１４】
これを利用することにより、電子値札装置の価格改定に連動して、電子ＰＯＰ装置に適切なＰＯＰ表示を行うことができるプログラムを提供することができる。
【発明を実施するための最良の形態】
【００１５】
以下、添付の図面を参照して、本発明の一実施形態に係る電子値札装置を用いた商品情報表示システムについて説明する。図１に示すように、商品情報表示システム１は、販売商品に関する各種情報を表示する複数の商品情報表示装置８（図示では１つ）と、店舗の天井裏に設置され、商品情報表示装置８と赤外線通信で接続された複数（図示では１つ）のアンテナ５と、複数のアンテナ５と店舗内ＬＡＮ６を介して接続され、商品情報表示装置８の表示制御を行うホスト装置４と、から構成されている。そして、商品情報表示装置８は、少なくとも販売価格１１を含む価格情報を表示する電子値札装置２と、電子値札装置２に電気的に接続され、販売価格１１に付加して表示すべき付加情報を表示する電子ＰＯＰ装置３と、で構成されている。ホスト装置４は、アンテナ５を通じて各電子値札装置２と無線通信を行っており、ホスト装置４により送信される表示制御データに基づいて電子値札装置２および電子ＰＯＰ装置３の表示制御が実行される構成となっている。なお、ここでいう付加情報とは販売商品の広告、宣伝情報のことであり、表示制御データとは、電子値札装置２に表示させるための販売価格１１および在庫管理情報１２と、電子ＰＯＰ装置３に付加情報を表示させるための指示情報と、販売商品の価格属性を示す属性情報が含まれたものである。また、陳列された商品を変更した場合等は、ハンディターミナル(図示省略)で商品に付されたバーコードから商品情報（商品コード７１）を読み取り、電子値札装置２に直接入力することもできる構成となっている。
【００１６】
図２に示すように商品陳列台７は、商品の設置スペースが階段状に形成されており、各段において商品が横並びに配置されている。最下段の正面前方には、商品に対応して電子ＰＯＰ装置３が配設されており、電子ＰＯＰ装置３の前面には、電子値札装置２が取り付けられている。つまり、顧客は、電子値札装置２の価格情報および電子ＰＯＰ装置３の付加情報を同時に見ることにより、商品を選択しやすくなっている。
【００１７】
電子値札装置２は、ディスプレイ２２（価格表示部）、通信インターフェース２１、接続インターフェース２８、ＲＯＭ２３、メインメモリ２７、処理演算部２６およびＲＡＭ２４(Random Access Memory)を備え、これらは内部バス２５により接続されている。ＲＯＭ２３には、制御プログラム２９が記憶されており、電子値札装置２内の処理動作を制御している（図１参照）。
【００１８】
また、図３に示すように電子値札装置２は、薄板の長方形状に形成されている。正面中央のディスプレイ２２は、いわゆる液晶ディスプレイであり、ホスト装置４から送信された表示制御データに基づいて、販売価格１１および在庫管理情報１２を表示する。在庫管理情報１２は、今週販売実績数１３、在庫状況１４及び先週販売実績数１５から構成され、正面右側に縦一列に表示される。在庫状況１４は、「Ｆ」、「Ｎ」、「Ｅ」の３段階に表示され、「Ｆ」は在庫数問題なし、「Ｎ」は在庫数小、「Ｅ」は在庫切れ、をそれぞれ意味している。店員は、在庫管理情報１２を見ることで、先週販売実績数１５から今週の売れ行きを予測し、今週販売実績数１３及び在庫状況１４から発注数を指定できる構成となっている。また、ディスプレイ２２下方には、該当商品の商品名及びバーコードが印刷されたラベル１６が貼付されている。なお、ディスプレイ２２は液晶のディスプレイ２２に限らず電子ペーパや電子粉粒で画像を表示するようにしてもよい。
【００１９】
通信インターフェース２１は、店舗内に設置されたアンテナ５により赤外線通信を行うためのものであり、赤外線受光センサ（図示省略）を備えている。なお、本実施形態では、赤外線通信としたが電波により通信する構成としてもよい。接続インターフェース２８は、電子値札装置２の背面に設けられた複数（図では４つ）の電極端子から成り、電子ＰＯＰ装置３とデータの送受信を行う。なお、電子値札装置２は、内部に取り付けたリチウム電池等のボタン電池や表面に設けた太陽電池から給電するようにしてもよいし、電子ＰＯＰ装置３から給電するようにしてもよい。
【００２０】
図４に示すように電子ＰＯＰ装置３は、板状フレームを断面Ｌ字型となるように屈曲形成したＰＯＰ本体５５と、ＰＯＰ本体５５の正面上部に設けられた液晶のディスプレイ３２（付加情報表示部）と、ＰＯＰ本体５５の正面下部に設けられた電子値札装置２を保持するための保持プレート５１と、ＰＯＰ本体５５の背面に設けられた制御ボックス５２と、から構成されている。そして、電子ＰＯＰ装置３が正面を向いた状態で、ＰＯＰ本体５５の下面が商品陳列台７に固定される。
【００２１】
保持プレート５１は、電子値札装置２の設置部となる背面プレート５３と、背面プレート５３の長手方向両端に設けられた一対の保持爪部５４、５４と、から構成されており、電子値札装置２は、一対の保持爪部５４、５４により、背面プレート５３に押し付けられるようにして固定されている。背面プレート５３には、複数（図では４つ）の電極端子から成る接続インターフェース３８が設けられており、保持プレート５１に電子値札装置２が取り付けられると、電子ＰＯＰ装置３と電子値札装置２とが電気的に接続される構成となっている。接続インターフェース３８は、内部バス３５に接続されており、電子ＰＯＰ装置３と電子値札装置２とは、接続インターフェース３８、２８を介して、データの送受信を行っている。なお、この接続インターフェース３８、２８は、必ずしもコネクタなどの接触型でなくても良い。例えば、電磁誘導による結合、あるいは電波、赤外線などの非接触型のインターフェースであっても良い。
【００２２】
制御ボックス５２は、内部に、ＲＯＭ３３、Ｆｌａｓｈメモリ３７、ＲＡＭ３４および処理演算部３６を備え、これらは内部バス３５に接続されている。ＲＯＭ３３には、制御プログラム３９が記憶されており、電子ＰＯＰ装置３は、当該制御プログラム３９に基づいて各種処理を制御している（図１参照）。また、Ｆｌａｓｈメモリ３７内のイメージデータファイル記憶部４２および動画データファイル記憶部４３には、付加情報として表示するための複数のイメージデータファイルおよび動画データファイル(以下、イメージデータファイルおよび動画データファイルを、表示データファイルと称する)が、ＰＯＰコード４４と対応させてそれぞれ記憶されている。さらにＦｌａｓｈメモリ３７内の指定ファイル格納部４１には、表示の指定がなされた表示データファイルのＰＯＰコード４４が記憶されている。ＰＯＰコード４４は、表示データファイルの表示中も指定ファイル格納部４１に記憶されているため、例えば、電源トラブルなどがあっても復旧後に同じ表示がスタートできる構成となっている。
【００２３】
図５に示すように表示データファイルは、ＰＯＰコード４４に関連付けられてＦｌａｓｈメモリ３７に記憶されており、表示制御データに含まれた指示情報に基づいて、電子ＰＯＰ装置３のＰＯＰコード４４が選択されることで、ディスプレイ３２に所望の表示データファイルが付加情報として表示できる構成となっている。つまり、指示情報とは、電子ＰＯＰ装置３にＰＯＰコード４４を選択させて表示データファイルを表示させるための情報である。この構成により、ホスト装置４は、簡単なデータ列（文字列及び／または数列）から成る制御コマンドである指示情報を表示制御データに含めて送信すればよく、比較的容量の大きな表示データファイルを送信する必要がない。このため、回線帯域等の設備コストを削減することができ、商品情報表示システム１を簡易な構成で構築することができる。また、多数の電子ＰＯＰ装置３を有する大型店舗では、画像を送信する時間を大幅に短縮でき、システムの負荷を軽減できる。
【００２４】
制御ボックス５２の側部には、ＡＣアダプタの差込口５６およびＵＳＢポート５７を備えている。ＵＳＢポート５７に繋がるＵＳＢインターフェース３１は、内部バス３５に接続されており、イメージデータファイル等の比較的容量の大きな画像データを、ホスト装置４等のコンピュータから転送させるときに使用される。
【００２５】
ホスト装置４は、表示制御データを送信することにより電子値札装置２および電子ＰＯＰ装置３の表示制御するものであり、入力デバイス５９、ディスプレイ６２、通信インターフェース６１、入出力インターフェース６７、内部バス６５、ＣＰＵ６６(Central Processing Unit)、ＲＯＭ６３(Read Only Memory)、ＲＡＭ６４(Random Access Memory)およびＨＤＤ６８(Hard Disk Drive)を備えている。ＨＤＤ６８には、商品マスタ７０を記憶している（図１参照）。
【００２６】
図６に示す商品マスタ７０には、商品コード７１、商品名７２、現在の販売価格１１、在庫数１７、先週販売実績数１５、今週販売実績数１３、値札ＩＤ７３および現在のＰＯＰコード４４が商品ごとに関連付けられて記憶されている。ホスト装置４は、商品マスタ７０から販売価格１１、在庫管理情報１２および指示情報を含んだ表示制御データを生成し、電子値札装置２に表示制御データを送信する構成となっている。そして、商品マスタ７０の一部が変更されると、ホスト装置４から変更内容を含んだ表示制御データが変更対象の電子値札装置２に送信され、当該電子値札装置２および電子ＰＯＰ装置３の表示が変更される。また、商品マスタ７０にＰＯＰコード４４が記述されているため、ホスト装置４は、変更対象となる電子ＰＯＰ装置３に接続された電子値札装置２の値札ＩＤ７３を、商品コード７１に基づいて個々に指定するのではなく、ＰＯＰコード４４に基づいて指定し、共通するＰＯＰコード４４に対応する電子値札装置２にのみ表示制御データを送信することも可能である。例えば、「店長おすすめ品」が表示されている全ての電子ＰＯＰ装置３の表示を変更したい場合には、ホスト装置４は、商品マスタ７０のＰＯＰコード４４が「ＨＤ０１」になっている値札ＩＤ７３を全て指定し、当該各電子ＰＯＰ装置３に接続された電子値札装置２に表示制御データを送信する。
【００２７】
ここで、図７を参照して、商品情報表示システム１の機能構成について説明する。
【００２８】
電子値札装置２は、表示制御データ受信手段９１、解析手段９２、価格情報表示制御手段９３、指示情報判別手段９４、情報転送手段９５、価格属性指定手段９０、判別手段９６、エラー情報送信手段９７、報知手段９８、接続判別手段９９および判別結果送信手段１００を備えている。
【００２９】
表示制御データ受信手段９１は、通信インターフェース２１を介してホスト装置４から表示制御データを受信するものである。解析手段９２は、ＲＯＭ２３内の制御プログラム２９に基づいて、受信した表示制御データを解析するものである。価格情報表示制御手段９３は、表示制御データを解析した結果、表示制御データが販売価格１１および在庫管理情報１２を含む場合に、ディスプレイ２２に販売価格１１および在庫管理情報１２を表示させるものである。指示情報判別手段９４は、表示制御データを解析した結果、指示情報が含まれるか否かを判別するものである。情報転送手段９５は、指示情報判別手段９４により表示制御データに電子ＰＯＰ装置３に表示を指示する指示情報が含まれると判定された時に、接続インターフェース２８を介して電子ＰＯＰ装置３に指示情報を転送するものである。
【００３０】
価格属性指定手段９０は、表示制御データを解析した結果から属性情報を指定するものである。判別手段９６は、接続インターフェース２８を介して電子ＰＯＰ装置３の後述するファイル制御手段１０２による表示データファイルの検索・選択結果を取得し、価格属性指定手段９０に指定されたファイルの有無を判別するものである。エラー情報送信手段９７は、電子値札装置２が判別手段９６の判別結果から価格属性指定手段９０に指定されたファイルが存在せず正しく表示できないと判定した場合、ホスト装置４にエラー情報を送信するものである。例えば、解析結果がＰＯＰコード４４の「ＨＤ０３」を示す属性情報で、このコードに対応するファイルが、ＰＯＰ内のＦｌａｓｈメモリ３７に記憶されていない場合である。このように、電子値札装置２が、表示データファイルを正しく表示できない、つまり整合性が取れないと判定した場合には、ホスト装置４に対してエラー情報が送信されるため、ホスト装置４は、電子ＰＯＰ装置３の記憶情報とホスト装置４が管理している各種情報とのミスマッチをリアルタイムで把握することができる。これにより、ホスト装置４側の管理情報と電子ＰＯＰ装置３の情報のズレが生じることがなく、システムの管理が容易となる。
【００３１】
報知手段９８は、電子値札装置２が判別手段９６の判別結果から整合性がとれないと判定した場合、その旨をディスプレイ２２に表示することより報知するものである。このように、販売フロア内に設置されている電子値札装置２で報知することにより、店員に注意を促すため、電子ＰＯＰ装置３の付加情報とホスト装置４が管理している各種情報とのミスマッチを現場レベルで対処することができる。なお、ディスプレイ２２に表示する構成に代えて音声（電子音）により報知するようにしてもよい。
【００３２】
接続判別手段９９は、接続インターフェース２８を介して電子ＰＯＰ装置３が接続されているか否かを判別するものである。判別結果送信手段１００は、接続判別手段９９の判別結果をホスト装置４に送信するものである。この構成により、ホスト装置４は、電子値札装置２による判別結果から、電子値札装置２に電子ＰＯＰ装置３が接続されているか否かを判断することができる。これにより、ホスト装置４側で、電子値札装置２に接続された電子ＰＯＰ装置３の管理が容易になる。
【００３３】
なお、表示制御データ受信手段９１、解析手段９２、価格情報表示制御手段９３、指示情報判別手段９４、価格属性指定手段９０、エラー情報送信手段９７、報知手段９８および判別結果送信手段１００は、処理演算部２６がＲＯＭ２３内の制御プログラム２９に従ってメインメモリ２７内の各種データを演算し、さらに通信インターフェース２１と協働して処理を実行することにより実現されるものである。また、情報転送手段９５、判別手段９６および接続判別手段９９は、処理演算部２６がＲＯＭ２３内の制御プログラム２９に従ってメインメモリ２７内の各種データを演算し、さらに通信インターフェース２１および接続インターフェース２８と協働して処理を実行することにより実現されるものである。
【００３４】
電子ＰＯＰ装置３は、情報取得手段１０１、ファイル制御手段１０２および付加情報表示制御手段１０３を備えている。
【００３５】
情報取得手段１０１は、電子値札装置２から接続インターフェース２８、３８を介して表示制御データに含まれる指示情報を取得するものである。ファイル制御手段１０２は、情報取得手段１０１が取得した指示情報に基づいてＦｌａｓｈメモリ３７から表示データファイルを検索・選択するものである。付加情報表示制御手段１０３は、取得した指示情報に基づいてファイル制御手段１０２を介してＦｌａｓｈメモリ３７に記憶されたイメージデータファイルまたは動画データファイルを選択し、選択したイメージデータファイルまたは動画データファイルを表示データに展開し、付加情報としてディスプレイ３２に表示するものである。
【００３６】
なお、情報取得手段１０１、ファイル制御手段１０２および付加情報表示制御手段１０３は、処理演算部３６がＲＯＭ３３内の制御プログラム３９に従ってＦｌａｓｈメモリ３７内の各種データを演算し、さらに接続インターフェース３８と協働して処理を実行することにより実現されるものである。
【００３７】
ホスト装置４は、表示制御データ送信手段８１およびエラー情報表示手段８２を備えている。表示制御データ送信手段８１は、通信インターフェース６１を介して電子値札装置２に対し表示制御データを送信するものである。エラー情報表示手段８２は、エラー情報送信手段９７から受信したエラー情報から、エラーの発生源である電子値札装置２の値札ＩＤ７３を、エラー情報共にディスプレイ６２に表示するものである。この構成により、ホスト装置４にエラー情報と共に、エラーの発生源である電子値札装置２の識別コードが表示されるため、管理者はエラー情報を送信した電子値札装置２を指定し、迅速な対応をとることができる。
【００３８】
なお、表示制御データ送信手段８１およびエラー情報表示手段８２は、ＣＰＵ６６がＲＯＭ６３内の制御プログラム６９およびＨＤＤ６８内の各種プログラムに従って各種データを演算し、さらに入力デバイス５９や通信インターフェース６１と協働して処理を実行することにより実現されるものである。
【００３９】
図８のフローチャートを参照して、商品情報表示システム１によるホスト装置４側からの商品情報表示処理について説明する。
【００４０】
まず、ホスト装置４の商品マスタ７０が一部変更になると（Ｓ０１）、ホスト装置４は、指示情報を含む表示制御データを電子値札装置２に送信する（Ｓ０２）。そして、電子値札装置２は、表示制御データを受信すると（Ｓ０３）、表示制御データの解析を行う（Ｓ０４）。電子値札装置２は、解析した結果に指示情報が含まれるか否かの判別を行い（Ｓ０５）、解析結果に指示情報が含まれないと判定した場合（Ｓ０５：Ｎｏ）、ディスプレイ２２に販売価格１１および在庫管理情報１２を表示させて停止する（Ｓ０６）。一方、解析結果に指示情報が含まれると判定した場合（Ｓ０５：Ｙｅｓ）、ディスプレイ２２に販売価格１１および在庫管理情報１２を表示させ（Ｓ０７）、指示情報を電子ＰＯＰ装置３に転送する（Ｓ０８）。電子ＰＯＰ装置３は、転送された指示情報を受信すると、指示情報に対応するイメージデータファイルまたは動画データファイルをディスプレイ３２に表示させる（Ｓ０９）。
【００４１】
以上、本実施形態によれば、電子値札装置２は、電子値札装置２による表示制御データの解析結果に基づいて価格情報を表示し、電子ＰＯＰ装置３は、電子値札装置２からの表示制御データの解析結果に基づいて転送された指示情報により付加情報を表示する。このように、電子値札装置２による表示制御データの解析結果に基づいて電子値札装置２の価格情報と電子ＰＯＰ装置３の付加情報とが連動して表示されるので、価格情報と付加情報とが不一致となることがない。つまり、販売価格１１の変更に合わせて適切な付加情報が表示されるため、販売価格１１と付加情報の内容の整合性がとれないことで顧客に誤解を招く虞がない。また、電子値札装置２と電子ＰＯＰ装置３に対し、個別に表示制御データを送信する必要がないため、ホスト装置４の制御負荷を軽減できる。
【００４２】
なお、本実施形態では、ホスト装置４が電子値札装置２に表示制御データを送信することで、電子ＰＯＰ装置３が電子値札装置２を介してホスト装置４に表示制御される構成としたが、電子ＰＯＰ装置３が電子値札装置２を介さずにホスト装置４と直に通信する構成してもよい。この場合には、電子ＰＯＰ装置３にホスト装置４と通信を行うための通信インターフェースを備え、表示制御データ受信手段９１、解析手段９２および指示情報判別手段９４をさらに設けて構成する。この構成によれば、電子ＰＯＰ装置３は、ホスト装置４から送信された表示制御データを受信して、自ら解析し表示データファイルをディスプレイ３２に表示することができる。
【００４３】
さらに、上記の例に示した、商品情報表示システム１の各部（各機能）をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、光磁気ディスク、デジタルバーサタイルディスクおよびフレキシブルディスク等を利用することができる。
【００４４】
また、上記に示した実施例によらず、商品情報表示システム１の装置構成や処理工程等について、本発明の要旨を逸脱しない範囲で、適宜変更も可能である。
【図面の簡単な説明】
【００４５】
【図１】商品情報表示システムの制御ブロック図である。
【図２】商品陳列台の正面図である。
【図３】電子値札装置の全体斜視図である。
【図４】（ａ）は、電子ＰＯＰ装置に電子値札装置を取り付けた斜視図であり、（ｂ）は、電子ＰＯＰ装置から電子値札装置を取りはずした斜視図である。
【図５】ＰＯＰコードと表示データファイルとの関連を示す図である。
【図６】商品マスタの一例を示す図である。
【図７】商品情報表示システムの機能ブロック図である。
【図８】ホスト装置４側からの商品情報表示処理のフローチャートである。
【符号の説明】
【００４６】
１…商品情報表示システム  ２…電子値札装置  ３…電子ＰＯＰ装置  ４…ホスト装置  １１…販売価格  ２２…価格表示部  ４２…イメージデータファイル  ４３…動画データファイル  ４４…ＰＯＰコード  ８１…表示制御データ送信手段  ９１…表示制御データ受信手段  ９２…解析手段  ９３…価格情報表示制御手段  ９４…指示情報判別手段  ９５…情報転送手段  １０１…情報取得手段  １０３…付加情報表示制御手段
【図１】
2008104615.tif 000003
【図２】
2008104615.tif 000004
【図３】
2008104615.tif 000005
【図４】
2008104615.tif 000006
【図５】
2008104615.tif 000007
【図６】
2008104615.tif 000008
【図７】
2008104615.tif 000009
【図８】
2008104615.tif 000010